(57)【要約】【課題】本体枠の形成領域を下方へ効果的に拡大することができると共に、幕板構造体の高さ寸法を低く抑えて、ケース内におけるスピーカーの配置スペースを効果的に拡大することができる遊技機の幕板構造体及びこれを用いた外枠を提供すること。【解決手段】遊技機の幕板構造体１は、ケース２内に、スピーカー３を収納してなる。ケース２における上面部２０２は、その前方側端部に、本体枠６の前方側下端部６１の下方に対向する前方側対向部２３を有すると共に、前方側対向部２３の後方に、スピーカー３の前方側上端部３１を配置するために前方側対向部２３よりも上方へ突出するスピーカー配設用突出部２４を有している。スピーカー配設用突出部２４と前方側対向部２３とによって、本体枠６の前方側下端部６１を配置する上面段差凹部２５が形成されており、上面段差凹部２５の後方には、スピーカー３の前方側上端部３１が位置している。【選択図】図１
2010178792.tif 000002
【特許請求の範囲】
【請求項１】
遊技機において遊技盤を設けた本体枠の下方であって、該本体枠を配置する枠形状の外枠の下辺部に近接して配設される幕板構造体において、
該幕板構造体は、ケース内にスピーカーを収納してなり、
上記ケースにおける下面部は、上記下辺部の前面側に配置する前面側配置部を下方に突出形成することによって、該前面側配置部の後方に上記下辺部を収納するための下面段差凹部を有しており、
上記ケースにおける上面部は、その前方側端部に、上記本体枠の前方側下端部の下方に対向する前方側対向部を有すると共に、該前方側対向部の後方に、上記スピーカーの前方側上端部を配置するために当該前方側対向部よりも上方へ突出するスピーカー配設用突出部を有しており、
該スピーカー配設用突出部と上記前方側対向部とによって、上記本体枠の前方側下端部を配置する上面段差凹部を形成しており、
該上面段差凹部の後方に、上記スピーカーの前方側上端部が位置していることを特徴とする遊技機の幕板構造体。
【請求項２】
請求項１において、上記ケースにおける上面部は、上記スピーカー配設用突出部の後方に、該スピーカー配設用突出部よりも上方へ突出すると共に左右方向に連続して形成した後方側突出部を有しており、
上記スピーカー配設用突出部の前面上側角部と上記後方側突出部の前面上側角部とには、前方に向けて突出させた防犯用突起が左右方向に連続して形成してあることを特徴とする遊技機の幕板構造体。
【請求項３】
請求項１又は２において、上記ケースには、上記スピーカーの音響出力による音圧を受けて振動する振動板が配設してあることを特徴とする遊技機の幕板構造体。
【請求項４】
請求項１〜３のいずれか一項に記載の幕板構造体を配設した外枠であって、
該外枠の枠形状における下辺部は、穴開け加工以外の形状加工がない直方体形状を有していることを特徴とする遊技機の外枠。
【発明の詳細な説明】
【技術分野】
【０００１】
本発明は、遊技機において遊技盤を設けた本体枠の下方であって、該本体枠を配置する枠形状の外枠の下辺部を覆うように配設される幕板構造体及びこれを有する外枠に関する。
【背景技術】
【０００２】
遊技機の外枠における下辺部の上部には、球皿の下方に球箱を配置するスペースを確保するための幕板が配設されている。また、この幕板の内部には、特に低音領域の再生を行うスピーカー等を収容することが行われている。
例えば、特許文献１の遊技機枠においては、上横片、下横片、左縦片及び右縦片から構成した固定枠に対し、金属から形成した幕板を、下横片の前部と左縦片の下前部および右縦片の下前部に結合させることが開示されている。この幕板は、放音孔を有する幕基盤と、幕基盤に配設したスピーカーとを備えている。そして、遊技機の内部空間の拡大と強度向上との両立を図っている。
【先行技術文献】
【特許文献】
【０００３】
【特許文献１】特開２００７−２０６８３号公報
【発明の概要】
【発明が解決しようとする課題】
【０００４】
ところで、遊技機においては遊技領域を拡大する傾向がある。その対策の一つとして遊技機下方に位置する球皿を更に下方へ移動することが考えられるが、球皿を設置した本体枠の形成領域をより拡大するためには、スピーカー等を収容する幕板構造体のケースの形状に更なる工夫を行う必要がある。すなわち、ケース内に単純にスピーカーを配置すると、特に低音領域の再生を行うスピーカーが占めるスペースが大きく、本体枠の形成領域を十分に拡大することはできない。
【０００５】
本発明は、かかる従来の問題点に鑑みてなされたもので、本体枠の形成領域を下方へ効果的に拡大することができると共に、幕板構造体の高さ寸法を低く抑えて、ケース内におけるスピーカーの配置スペースを効果的に拡大することができる遊技機の幕板構造体及びこれを用いた外枠を提供しようとするものである。
【課題を解決するための手段】
【０００６】
第１の発明は、遊技機において遊技盤を設けた本体枠の下方であって、該本体枠を配置する枠形状の外枠の下辺部に近接して配設される幕板構造体において、
該幕板構造体は、ケース内にスピーカーを収納してなり、
上記ケースにおける下面部は、上記下辺部の前面側に配置する前面側配置部を下方に突出形成することによって、該前面側配置部の後方に上記下辺部を収納するための下面段差凹部を有しており、
上記ケースにおける上面部は、その前方側端部に、上記本体枠の前方側下端部の下方に対向する前方側対向部を有すると共に、該前方側対向部の後方に、上記スピーカーの前方側上端部を配置するために当該前方側対向部よりも上方へ突出するスピーカー配設用突出部を有しており、
該スピーカー配設用突出部と上記前方側対向部とによって、上記本体枠の前方側下端部を配置する上面段差凹部を形成しており、
該上面段差凹部の後方に、上記スピーカーの前方側上端部が位置していることを特徴とする遊技機の幕板構造体にある（請求項１）。
【０００７】
本発明の遊技機の幕板構造体は、スピーカーを収容するケースの形状に工夫を行っている。
具体的には、ケースにおける下面部は、前面側配置部を下方に突出形成することによって、外枠の下辺部を収納するための下面段差凹部を有している。これにより、遊技機において、幕板構造体のケースを下辺部の前方にまで拡大して形成し、幕板構造体の高さ寸法を低く抑えることができる。
【０００８】
また、ケースにおける上面部は、その前方側端部における前方側対向部の後方に、前方側対向部よりも上方へ突出するスピーカー配設用突出部を有している。そして、スピーカー配設用突出部と前方側対向部とによって形成した上面段差凹部には、本体枠の前方側下端部を配置することができ、スピーカーの前方側上端部は、スピーカー配設用突出部内に配置されることによって、上面段差凹部の後方に位置している。
これにより、本体枠の一部である前方側下端部と、ケースの一部であるスピーカー配設用突出部及びスピーカーとを、前後方向において重ねて配置することができる。そのため、本体枠の形成領域を下方へ効果的に拡大することができると共に、幕板構造体の高さ寸法を低く抑えて、ケース内におけるスピーカーの配置スペースを効果的に拡大することができる。
【０００９】
第２の発明は、上記幕板構造体を配設した外枠であって、
該外枠の枠形状における下辺部は、穴開け加工以外の形状加工がない直方体形状を有していることを特徴とする遊技機の外枠にある（請求項４）。
【００１０】
本発明の遊技機の外枠における下辺部は、穴開け加工以外の形状加工がない直方体形状を有している。
これにより、下辺部の強度を向上させることができ、かつ、下辺部に対する加工は穴開け加工のみとすることができる。そして、幕板との干渉を避ける目的で行われていた下辺部表面のフライス加工などを行わないことにより、コストダウン及び生産性の向上を図ることができる。
【図面の簡単な説明】
【００１１】
【図１】実施例において、外枠の下辺部の上に配設した幕板構造体を示す図で、スピーカーの配設箇所の側方断面を示す説明図。
【図２】実施例において、外枠の下辺部の上に配設した幕板構造体を示す図で、ドロンコーンの配設箇所の側方断面を示す説明図。
【図３】実施例において、幕板構造体及び外枠の配置状態を示す斜視図。
【図４】実施例において、幕板構造体の前面側を示す斜視図。
【図５】実施例において、幕板構造体の一部の後面側を示す斜視図。
【発明を実施するための形態】
【００１２】
上述した本発明における好ましい実施の形態につき説明する。
本発明において、上記スピーカー配設用突出部は、スピーカーを配設する左右方向の位置にのみ対応して、前方側対向部から上方に突出して形成することができる。また、上記スピーカー配設用突出部は、スピーカーの配設箇所からスピーカーを配設していない箇所まで左右方向に連続して形成することもできる。
【００１３】
また、上記ケースにおける上面部は、上記スピーカー配設用突出部の後方に、該スピーカー配設用突出部よりも上方へ突出すると共に左右方向に連続して形成した後方側突出部を有しており、上記スピーカー配設用突出部の前面上側角部と上記後方側突出部の前面上側角部とには、前方に向けて突出させた防犯用突起が左右方向に連続して形成することが好ましい（請求項２）。
【００１４】
この場合には、差込棒等の不正道具によって、本体枠の下端部と幕板構造体のケースにおける上面部との間から遊技に対する不正を行うことを、スピーカー配設用突出部の前面上側角部に形成した防犯用突起と、後方側突出部の前面上側角部に形成した防犯用突起との二重の防犯用突起によって効果的に防止することができる。
なお、上記スピーカー配設用突出部の前面上側角部に形成する防犯用突起は、例えば、スピーカー配設用突出部を一対のスピーカーの配設位置にのみ対応して２箇所に形成した場合には、この２箇所のスピーカー配設用突出部の前面上側角部に対して左右方向に連続して形成することができる。
【００１５】
また、上記ケースには、上記スピーカーの音響出力による音圧を受けて振動する振動板を配設することが好ましい（請求項３）。
一般に、スピーカーの特性により特定の周波数（例えば１００Ｈｚ周辺）をピークにその前後の音圧が低下する傾向にあるが、振動板（ドロンコーン）を併用することによってピーク周辺の周波数における音圧を維持し、広範囲の周波数帯で効率的に音を出力することができる。
上記ケースにおいて、上記スピーカーは、１個又は複数個配設することができ、上記振動板は、１個配設することができる。
【実施例】
【００１６】
以下に、本発明の遊技機の幕板構造体及び外枠にかかる実施例につき、図面を参照して説明する。
本例の遊技機の幕板構造体１は、図１に示すごとく、遊技機において遊技盤を設けた本体枠６の下方であって、本体枠６を配置する枠形状の外枠５の下辺部５１を覆うように配設される。この幕板構造体１は、合成樹脂製のケース２内に、低音領域（例えば、１００Ｈｚ周辺）の音の再生を行うスピーカー（ウーハー）３を収納してなる。
ケース２における下面部２０１は、下辺部５１の前面側に配置する前面側配置部２１を下方に突出形成することによって、前面側配置部２１の後方に下辺部５１を収納するための下面段差凹部２２を有している。
【００１７】
また、ケース２における上面部２０２は、その前方側端部に、本体枠６の前方側下端部６１の下方に対向する前方側対向部２３を有すると共に、前方側対向部２３の後方に、スピーカー３の前方側上端部３１を配置するために前方側対向部２３よりも上方へ突出するスピーカー配設用突出部２４を有している。そして、スピーカー配設用突出部２４と前方側対向部２３とによって、本体枠６の前方側下端部６１を配置する上面段差凹部２５が形成されており、上面段差凹部２５の後方には、スピーカー３の前方側上端部３１が位置している。
【００１８】
以下に、本例の遊技機の幕板構造体１及び外枠５につき、図１〜図５を参照して詳説する。
図３に示すごとく、本例の遊技機は、パチンコ遊技機であり、外枠５の前面側において、幕板構造体１の上方には、本体枠６が配設してある。本体枠６の前面には、遊技盤前面をガラス板等で覆うガラス枠（透明板保持枠）６２を配置してあり、同様に本体枠６の前面でガラス枠６２の下方には遊技球を貯留する球皿６３が配設してある。ガラス枠６２には、高音領域の音の再生を行うツイーター（又はスコーカー）６４等が配設されている。
また、本例の各図においては、遊技機の前方側を矢印Ｆｒによって示す。
【００１９】
図１に示すごとく、本例のケース２における上面部２０２は、スピーカー配設用突出部２４の後方に、スピーカー配設用突出部２４よりも上方へ突出すると共に左右方向Ｗに連続して形成した後方側突出部２６を有している。
図４に示すごとく、本例の後方側突出部２６は、ケース２の上面部２０２における左右方向Ｗの全長に渡って形成してあり、本例のスピーカー配設用突出部２４は、スピーカー３の配設箇所からスピーカー３を配設していない箇所まで左右方向Ｗに連続して形成してある。本例のスピーカー配設用突出部２４は、後方側突出部２６の前方に位置する左右の端部の近傍を除いて、左右方向Ｗに連続して形成してある。また、スピーカー３の前方側上端部３１の上端は、前方側対向部２３の上端面よりも上方に位置している（図１参照）。また、スピーカー配設用突出部２４の上面には、これに対して本体枠６の下面が当接したときの摺動を円滑にするための複数の突起２４２が左右方向Ｗに複数並べて形成してある。なお、中央部分の突起２４２は省略して示す。
【００２０】
図４に示すごとく、スピーカー配設用突出部２４の前面上側角部と後方側突出部２６の前面上側角部とには、前方に向けて突出させた防犯用突起２４１、２６１が左右方向Ｗに連続して形成してある。
図１に示すごとく、本体枠６の前方側下端部６１には、前面側部分から後方側へ屈曲する防犯用リブ６１１が形成してある。そして、防犯用リブ６１１は、上面段差凹部２５内であって、スピーカー配設用突出部２４における防犯用突起２４１の下方に配置されている。そして、スピーカー配設用突出部２４の前面上側角部に形成した防犯用突起２４１と、後方側突出部２６の前面上側角部に形成した防犯用突起２６１との二重の突起構造によって、差込棒等の不正道具によって、本体枠６の前方側下端部６１と幕板構造体１のケース２における上面部２０２との間から遊技に対する不正を行うことを効果的に防止することができる。
【００２１】
図２、図４に示すごとく、本例のスピーカー３は、音響出力するコーン部分を遊技機の前方側に向けて、ケース２内における左右に一対に配設してある。また、ケース２内において一対のスピーカー３同士の間には、一対のスピーカー３の音響出力によるケース２内の音圧を受けて振動するドロンコーン（振動板）４が配設してある。ドロンコーン４は、左右方向Ｗに長径部を位置させた楕円形状を有しており、かつ、その下端部分４１をケース２における前面側配置部２１内に配置すると共に、その上端部分４２をケース２における後方側突出部２６の下に配置した状態で、音響出力するコーン部分を斜め上方の前方に向けて配設してある。
【００２２】
そして、スピーカー３によって低音領域の再生を行うためにドロンコーン４を用いる際に、前面側配置部２１及び後方側突出部２６を利用して、斜め上方の前方に向けてドロンコーン４を配置することにより、幕板構造体１におけるケース２が上方へ拡大することを防止して、ケース２内におけるドロンコーン４の配置スペースを適切に確保することができる。
なお、ケース２に配設するスピーカー３は、１つとし、ケース２の左右方向Ｗにスピーカー３とドロンコーン４とを並べて配設することもできる。また、ドロンコーン４は、斜め上方の前方に向けて配設する以外にも、音響出力するコーン部分を前方に向けて配設することもできる。
【００２３】
また、図１、図２に示すごとく、ケース２は、ボックス形状を有しており、ケース２内には、所定の容積を有する空間２０が形成されている。また、ケース２の後面側の壁には、このケース２の補強を行うために、ケース２の内側へ陥没する曲面状の陥没部２７が形成されている。
また、図５に示すごとく、ケース２における前面側のパネル部２０３の裏面（後側面）には、一対のスピーカー３及びドロンコーン４の配設部位を除いて、音のビビリ（不要な振動）を防ぐために、線状の突起部２８を連続する多角形状（蜂の巣形状）を形成するように突出させている。
また、図４に示すごとく、ケース２における前面側のパネル部２０３において、左右のスピーカー３の前方及びドロンコーン４の前方に位置する部位には、音を放出する複数の穴が形成されている。
【００２４】
図３に示すごとく、本例の遊技機の外枠５は、その枠形状における上辺部５２と下辺部５１とを木材から構成すると共に、その枠形状における一対の側辺部５３を金属材料（アルミニウム材料、マグネシウム材料等）から構成している。また、外枠５は、その下辺部５１の上に幕板構造体１を配設して構成されており、下辺部５１は、穴開け加工以外の形状加工がない直方体形状を有している。また、外枠５は、下辺部５１と上辺部５２と一対の側辺部５３とを、４つの角部の内側に配置した直角形状の板金（図示略）に対してねじ止めすることによって枠状に組み付けられている。
【００２５】
本例の遊技機の幕板構造体１においては、ケース２における下面部２０１は、前面側配置部２１を下方に突出形成することによって、外枠５の下辺部５１を収納するための下面段差凹部２２を有している。これにより、遊技機において、幕板構造体１のケース２を下辺部５１の前方にまで拡大して形成し、幕板構造体１の高さ寸法を低く抑えることができる。
【００２６】
また、ケース２における上面部２０２は、その前方側端部における前方側対向部２３の後方に、前方側対向部２３よりも上方へ突出するスピーカー配設用突出部２４を有している。そして、スピーカー配設用突出部２４と前方側対向部２３とによって形成した上面段差凹部２５には、本体枠６の前方側下端部６１を配置することができ、スピーカー３の前方側上端部３１は、スピーカー配設用突出部２４内に配置されることによって、上面段差凹部２５の後方に位置している。
これにより、本体枠６の一部である前方側下端部６１と、ケース２の一部であるスピーカー配設用突出部２４及びスピーカー３とを、前後方向において重ねて配置することができる。そのため、本体枠６の形成領域を下方へ効果的に拡大することができると共に、幕板構造体１の高さ寸法を低く抑えて、ケース２内におけるスピーカー３及びドロンコーン４の配置スペースを効果的に拡大することができる。
【００２７】
また、外枠５の下辺部５１を穴開け加工以外の形状加工がない直方体形状に形成したことにより、この下辺部５１の強度を向上させることができ、かつ、下辺部５１に対する加工は穴開け加工のみとし、コストダウン及び生産性の向上を図ることができる。
また、幕板構造体１のケース２における下面段差凹部２２に、下辺部５１を配置する構成により、本体枠６の形成領域を下方へ効果的に拡大することができる外枠５を形成することができる。
【符号の説明】
【００２８】
１  幕板構造体
２  ケース
２０１  下面部
２０２  上面部
２１  前面側配置部
２２  下面段差凹部
２３  前方側対向部
２４  スピーカー配設用突出部
２４１  防犯用突起
２５  上面段差凹部
２６  後方側突出部
２６１  防犯用突起
３  スピーカー
４  ドロンコーン（振動板）
５  外枠
５１  下辺部
６  本体枠
Ｗ  左右方向
Ｆｒ  前方側
【図１】
2010178792.tif 000003
【図２】
2010178792.tif 000004
【図３】
2010178792.tif 000005
【図４】
2010178792.tif 000006
【図５】
2010178792.tif 000007